(57)【要約】【課題】高電力・高電圧が必要でなく、電池によっても駆動し、小型である殺菌機能付電気かみそりを提供する。【解決手段】刃ヘッド部１を殺菌する殺菌灯を備え、この殺菌灯が紫外LED２からなる。そして、この殺菌機能付電気かみそりにおいて、紫外LED２が刃ヘッド部１内、又は、刃ヘッド部１に脱着自在に取り付けられるキャップ４に設けられている。これにより、高電力・高電圧を必要とせず、小型化が可能な殺菌機能付電気かみそりを提供することができる。よって、電池によっても駆動可能となり、携帯性や利便性が向上する。【選択図】図１
2007167367.tif 000002
【特許請求の範囲】
【請求項１】
刃ヘッド部を殺菌する殺菌灯を備え、この殺菌灯が紫外LEDからなる殺菌機能付電気かみそり。
【請求項２】
殺菌灯が刃ヘッド部内に設けられていることを特徴とする請求項１記載の殺菌機能付電気かみそり。
【請求項３】
殺菌灯が刃ヘッド部に脱着自在に取り付けられるキャップに設けられていることを特徴とする請求項１記載の殺菌機能付電気かみそり。
【請求項４】
殺菌灯が複数設けられていることを特徴とする請求項１〜３のいずれか１項記載の殺菌機能付電気かみそり。
【発明の詳細な説明】
【技術分野】
【０００１】
本願発明は、殺菌機能の付いた電機かみそりに関するものである。
【背景技術】
【０００２】
従来から、実公平６−１１１３号公報（特許文献１）に示されるように、刃ヘッド部を紫外線によって殺菌することのできる電気かみそりは知られている。
【０００３】
この電気かみそりは図６に示すように、刃ヘッド部１に着脱自在に装着されるキャップ４を有する電気かみそりにおいて、刃ヘッド部１の内部に放電管８からなる殺菌灯を設けるとともに、キャップ４を装着するための部分にこのキャップ４の装着によりオン側に動作する放電管８の安全スイッチ部９を設けている。これにより、安全に紫外線による刃ヘッド部１の殺菌を行える電気かみそりが得られるとされている。
【特許文献１】実公平６−１１１３号公報
【発明の開示】
【発明が解決しようとする課題】
【０００４】
しかしながら、実公平６−１１１３号公報に示される上記従来例の電気かみそりにあっては、放電管８が用いられているので、電池で駆動させることは、電圧を上げるための部品等が必要であり、困難である。又、放電管８を刃ヘッド部１内に取り付けるには、ある程度大きな空間を確保しなければならず、電気かみそりが大きくなってしまう。
【０００５】
本願発明は上記背景技術に鑑みて発明されたものであり、その課題は、高電力・高電圧を必要とせず、小型化が可能な殺菌機能付電気かみそりを提供することである。
【課題を解決するための手段】
【０００６】
上記課題を解決するために、本願請求項１記載の発明では、刃ヘッド部を殺菌する殺菌灯を備え、この殺菌灯を紫外LEDとしている。
【０００７】
又、本願請求項２記載の発明では、上記請求項１記載の殺菌機能付電気かみそりにおいて、殺菌灯が刃ヘッド部内に設けられていることを特徴としている。
【０００８】
又、本願請求項３記載の発明では、上記請求項１記載の殺菌機能付電気かみそりにおいて、殺菌灯が刃ヘッド部に脱着自在に取り付けられるキャップに設けられていることを特徴としている。
【０００９】
又、本願請求項４記載の発明では、上記請求項１〜３のいずれか１項記載の殺菌機能付電気かみそりにおいて、殺菌灯が複数設けられていることを特徴としている。
【発明の効果】
【００１０】
本願請求項１記載の発明の殺菌機能付電気かみそりにおいては、刃ヘッド部を殺菌する殺菌灯が紫外LEDからなるため、低電圧・低電力であっても駆動することが可能となる。これにより、電池によっても駆動可能となり、携帯性や利便性が向上する。又、小型である紫外LEDを用いることで、本体を小型化することが可能となる。
【００１１】
本願請求項２記載の発明の殺菌機能付電気かみそりにおいては、特に、小型である紫外LEDからなる殺菌灯を刃ヘッド部内に設けることで、刃ヘッド部の肥大を防ぎ、殺菌機能付電気かみそり全体のバランスがよくなり、外観もよりよくなる。
【００１２】
本願請求項３記載の発明の殺菌機能付電気かみそりにおいては、特に、殺菌灯が、刃ヘッド部に脱着自在に取り付けられるキャップに設けられているため、通常の使用時に、使用者に対して殺菌灯による紫外線の照射がされることがなくなる。これにより、安全性を確保することができる。又、刃ヘッド部の外側から紫外線を照射することができるため、より直接的かつ効果的に殺菌を行うことができる。
【００１３】
本願請求項４記載の発明の殺菌機能付電気かみそりにおいては、特に、殺菌灯が複数設けられているため、広範に紫外線を照射できるようになり、殺菌できる範囲も広がることとなる。
【発明を実施するための最良の形態】
【００１４】
以下、本願発明を添付図面に示す実施形態に基づいて説明する。
【００１５】
図１、２は、本願請求項１、２、４に対応した第一の実施形態である殺菌機能付電気かみそりを示している。
【００１６】
この殺菌機能付電気かみそりは、刃ヘッド部１を殺菌する殺菌灯を備え、この殺菌灯が紫外LED２からなる。そして、この紫外LED２が刃ヘッド部１内に複数設けられている。
【００１７】
以下、この実施形態の殺菌機能付電気かみそりをより具体的詳細に説明する。
【００１８】
図１、２に示すように、この殺菌機能付電気かみそりは、グリップ部３とグリップ部３の一端に位置する刃ヘッド部１と、刃ヘッド部１に脱着自在に取り付けられるキャップ４によって構成され、刃ヘッド部１に備えられた内刃５がモーター等の駆動源により往復動をすることで、外刃７との間でひげそり作用をなす。なお、この実施形態の殺菌機能付電気かみそりは往復式の電気かみそりであるが、これに限定するものではなく、回転式やロータリー式等の電気かみそりであっても実施可能である。
【００１９】
使用者が殺菌機能付電気かみそりを握るためのグリップ部３のケーシングはプラスチック等からなり、使用者が殺菌機能付電気かみそりを握りやすくなるようにくびれが設けられている。このグリップ部３のケーシングには殺菌機能付電気かみそりの電源スイッチ６が設けられ、これをスライドさせる事により、内刃５を駆動させるモードと、紫外LED２を駆動させるモードと、全てを駆動させないモードとを選択できる。刃ヘッド部１は、ハウジング部１ａと内刃５からなる。内刃５は金属等からなり、グリップ部３端部に支持されている。ハウジング部１ａはプラスチック等からなり、端部に金属等からなる外刃７を備えている。そして、ハウジング部１ａの内側表面は鏡面加工が施されている。これにより、紫外LED２から照射される紫外線を反射し、全体に殺菌効果を行き渡らせる。キャップ４はプラスチック等からなり、１つの開口面を有する箱型形状である。このキャップ４を刃ヘッド部１に取り付けると、刃ヘッド部１を完全に覆うこととなる。これにより、紫外線が外部に漏れることを防ぐことができる。このキャップ４の内側表面は鏡面加工が施されている。これにより、紫外LED２から照射される紫外線を反射し、全体に殺菌効果を行き渡らせる。
【００２０】
この殺菌機能付電気かみそりには刃ヘッド部１を殺菌するための殺菌灯を備えている。そして、この殺菌灯として、紫外LED２を用いている。この紫外LED２は刃ヘッド部１内であって、グリップ部３の刃ヘッド部１側端部に複数個設けられている。
【００２１】
本実施形態においては、刃ヘッド部１にキャップ４を完全に取り付けた状態で、電源スイッチ６を、紫外LED２を駆動させるモードにして、殺菌を行う。
【００２２】
したがって、この実施形態の殺菌機能付電気かみそりにおいては、刃ヘッド部１を殺菌する殺菌灯が紫外LED２からなるため、低電圧・低電力であっても駆動することが可能となる。これにより、電池によっても駆動可能となり、携帯性や利便性が向上する。又、小型である紫外LED２を用いることで、本体を小型化することが可能となる。
【００２３】
又、小型である紫外LED２からなる殺菌灯を刃ヘッド部１内に設けることで、刃ヘッド部１の肥大を防ぎ、殺菌機能付電気かみそり全体のバランスがよくなり、外観もよりよくなる。そして、紫外LED２が小型であるため、刃ヘッド部１内に紫外LED２を設けても清掃時等において邪魔になることもない。
【００２４】
又、紫外LED２が複数設けられているため、広範に紫外線を照射できるようになり、殺菌できる範囲も広がることとなる。
【００２５】
図３、４、５は、本願請求項１、３、４に対応した第二の実施形態である殺菌機能付電気かみそりを示している。
【００２６】
なお、ここでは、上記第一の実施形態と相違する事項についてのみ説明し、その他の事項（構成、作用効果等）については、上記第一の実施形態と同様であるのでその説明を省略する。
【００２７】
この殺菌機能付電気かみそりは、紫外LED２が刃ヘッド部１に脱着自在に取り付けられるキャップ４の内側に複数設けられている。紫外LED２は、キャップ４が刃ヘッド部１に取り付けられることで、殺菌機能付電気かみそり本体から電気を得る。
【００２８】
したがって、この実施形態の殺菌機能付電気かみそりにおいては、紫外LED２が刃ヘッド部１に脱着自在に取り付けられるキャップ４に設けられているため、殺菌時には必ずキャップ４を刃ヘッド部１に取り付けなければならない。よって、通常の電気かみそりとしての使用時において、使用者に対して紫外LED２による紫外線の照射がされることがなくなり、安全性を確保することができる。又、刃ヘッド部１の外側から紫外線を照射することができるため、より直接的かつ効果的に内刃５及び外刃７に殺菌を行うことができる。これにより、異臭の発生や雑菌の繁殖を防ぐことがより確実にできる。
【図面の簡単な説明】
【００２９】
【図１】本願発明の第一の実施形態である殺菌機能付電気かみそりを示す（a）は正面図、そのキャップを示す（ｂ）は斜視図。
【図２】殺菌中の同殺菌機能付電気かみそりを示す一部透視正面図。
【図３】本願発明の第二の実施形態である殺菌機能付電気かみそりを示す（ａ）は正面図、そのキャップを示す（ｂ）は斜視図。
【図４】殺菌中の同殺菌機能付電気かみそりを示す一部透視正面図。
【図５】キャップの紫外LEDが見えるようになした斜視図。
【図６】従来例である殺菌機能付電気かみそりを示す要部断面図。
【符号の説明】
【００３０】
１  刃ヘッド部
１ａ  ハウジング部
２  紫外LED
３  グリップ部
４  キャップ
５  内刃
６  電源スイッチ
７  外刃
【図１】
2007167367.tif 000003
【図２】
2007167367.tif 000004
【図３】
2007167367.tif 000005
【図４】
2007167367.tif 000006
【図５】
2007167367.tif 000007
【図６】
2007167367.tif 000008